(57)【特許請求の範囲】
【請求項１】
同一室内に設置される浴槽（３０）及び便器（４０）と、浴槽（３０）及び便器（４０）を囲む四方の壁面（２１、２２、２３、２４）と、四方の壁面（２１、２２、２３、２４）のうち浴槽（３０）から便器（４０）に跨る一の壁面（２１）の裏面側に設けられる配管スペース（ＰＳ）と、一の壁面（２１）を通して配管スペース（ＰＳ）に通じるパイプ挿入孔（３３）とを備え、浴槽（３０）と便器（４０）との間が仕切られていないタイプの既設の浴槽一体型ユニットバスを改修するユニットバス改修方法であって、
上記ユニットバス改修方法は、
上記浴槽一体型ユニットバスの一の壁面（２１）に洗面器（５０）及びカラン（６０）が設置されている場合にはこれらを除去する除去工程と、
一の壁面（２１）の浴槽（３０）側及び便器（４０）側に、給湯用孔（２３Ａ、２３Ｂ）と給水用孔（２４Ａ、２４Ｂ）の対からなるカラン取付孔（２５）を穿設する穿設工程と、
配管スペース（ＰＳ）に、縦パイプ（３Ｃ）と横パイプ（３Ａ、３Ｂ）を結合してなる給湯用Ｔ字状パイプ（３−１）及び給水用Ｔ字状パイプ（３−２）を設置するのにあたり、パイプ挿入孔（３３）に先に横パイプ（３Ａ）の一端（３Ａ−１）を挿入し、これに続けて横パイプ（３Ａ）の一端（３Ａ−１）から他端（３Ｂ−１）までの全範囲をパイプ挿入孔（３３）に挿入する挿入工程と、
上記挿入工程後に、縦パイプ（３Ｃ）の端（３Ｃ−１）を把持した状態で、給湯用Ｔ字状パイプ（３−１）及び給水用Ｔ字状パイプ（３−２）をそれぞれ配管スペース（ＰＳ）内でＴ字状の姿勢になるように立ち上げる立上工程と、
給湯用Ｔ字状パイプ（３−１）については、その横パイプ（３Ａ）の一端（３Ａ−１）を浴槽（３０）側の給湯用孔（２３Ａ）に合わせる一方、その横パイプ（３Ｂ）の他端（３Ｂ−１）を便器（４０）側の給湯用孔（２３Ｂ）に合わせ、さらに、給水用Ｔ字状パイプ（３−２）については、その横パイプ（３Ａ）の一端（３Ａ−１）を浴槽（３０）側の給水用孔（２４Ａ）に合わせる一方、その横パイプ（３Ｂ）の他端（３Ｂ−１）を便器（４０）側の給水用孔（２４Ｂ）に合わせる位置合わせ工程と、
上記配置工程後の状態でカラン取付孔（２５）のそれぞれにカラン（６０Ａ、６０Ｂ）を設置するカラン設置工程と、
便器（４０）側のカラン（６０Ｂ）の下方には洗面器（５０）を設置する洗面器設置工程と、
浴槽（３０）の縁（３２）あるいは上記浴槽一体型ユニットバスの床面であって浴槽（３０）の縁（３２）の外側にサッシ（２）を設置することにより、上記浴槽（３０）側がバスルーム（ＢＲ）となり、便器（４０）側がトイレルーム（ＷＣ）となるように、既設の浴槽一体型ユニットバスを仕切る間仕切工程と、を有すること
を特徴とするユニットバス改修方法。
【請求項２】
同一室内に設置される浴槽（３０）及び便器（４０）と、浴槽（３０）及び便器（４０）を囲む四方の壁面（２１、２２、２３、２４）と、四方の壁面（２１、２２、２３、２４）のうち浴槽（３０）から便器（４０）に跨る一の壁面（２１）の裏面側に設けられる配管スペース（ＰＳ）と、一の壁面（２１）を通して配管スペース（ＰＳ）に通じるパイプ挿入孔（３３）とを備え、浴槽（３０）と便器（４０）との間が仕切られていないタイプの既設の浴槽据置型ユニットバスを改修するユニットバス改修方法であって、
上記ユニットバス改修方法は、
浴槽（３０）を除去し、その除去跡に防水部材を配設する防水部材配設工程と、
上記防水部材上の一方に、上記浴槽（３０）より外形の小さい小浴槽（３０Ａ）を設置し、その他方に洗い場（３０Ｂ）を設ける小浴槽設置工程と、
上記浴槽据置型ユニットバスの一の壁面（２１）に洗面器（５０）及びカラン（６０）が設置されている場合にはこれらを除去する除去工程と、
一の壁面（２１）の浴槽（３０）側及び便器（４０）側に、給湯用孔（２３Ａ、２３Ｂ）と給水用孔（２４Ａ、２４Ｂ）の対からなるカラン取付孔（２５）を穿設する穿設工程と、
配管スペース（ＰＳ）に、縦パイプ（３Ｃ）と横パイプ（３Ａ、３Ｂ）を結合してなる給湯用Ｔ字状パイプ（３−１）及び給水用Ｔ字状パイプ（３−２）を設置するのにあたり、パイプ挿入孔（３３）に先に横パイプ（３Ａ）の一端（３Ａ−１）を挿入し、これに続けて横パイプ（３Ａ）の一端（３Ａ−１）から他端（３Ｂ−１）までの全範囲をパイプ挿入孔（３３）に挿入する挿入工程と、
上記挿入工程後に、縦パイプ（３Ｃ）の端（３Ｃ−１）を把持した状態で、給湯用Ｔ字状パイプ（３−１）及び給水用Ｔ字状パイプ（３−２）をそれぞれ配管スペース（ＰＳ）内でＴ字状の姿勢になるように立ち上げる立上工程と、
給湯用Ｔ字状パイプ（３−１）については、その横パイプ（３Ａ）の一端（３Ａ−１）を浴槽（３０）側の給湯用孔（２３Ａ）に合わせる一方、その横パイプ（３Ｂ）の他端（３Ｂ−１）を便器（４０）側の給湯用孔（２３Ｂ）に合わせ、さらに、給水用Ｔ字状パイプ（３−２）については、その横パイプ（３Ａ）の一端（３Ａ−１）を浴槽（３０）側の給水用孔（２４Ａ）に合わせる一方、その横パイプ（３Ｂ）の他端（３Ｂ−１）を便器（４０）側の給水用孔（２４Ｂ）に合わせる位置合わせ工程と、
上記配置工程後の状態でカラン取付孔（２５）のそれぞれにカラン（６０Ａ、６０Ｂ）を設置するカラン設置工程と、
便器（４０）側のカラン（６０Ｂ）の下方には洗面器（５０）を設置する洗面器設置工程と、
上記小浴槽（３０Ａ）側と便器（４０）側との境界線であって上記浴槽据置型ユニットバスの床面にサッシ（２）を設置することにより、上記小浴槽側（３０Ａ）がバスルーム（ＢＲ）となり、便器（４０）側がトイレルーム（ＷＣ）となるように、既設の浴槽据置型ユニットバスを仕切る間仕切工程と、を有すること
を特徴とするユニットバス改修方法。
【請求項３】
同一室内に設置される浴槽（３０）及び便器（４０）と、浴槽（３０）及び便器（４０）を囲む四方の壁面（２１、２２、２３、２４）と、四方の壁面（２１、２２、２３、２４）のうち浴槽（３０）から便器（４０）に跨る一の壁面（２１）の裏面側に設けられる配管スペース（ＰＳ）と、一の壁面（２１）を通して配管スペース（ＰＳ）に通じるパイプ挿入孔（３３）とを備え、浴槽（３０）と便器（４０）との間が仕切られていないタイプの既設の浴槽据置型ユニットバスを改修するユニットバス改修方法であって、
上記ユニットバス改修方法は、
浴槽（３０）を除去し、その除去跡に防水部材を配設する防水部材配設工程と、
上記浴槽据置型ユニットバスの一の壁面（２１）に洗面器（５０）及びカラン（６０）が設置されている場合にはこれらを除去する除去工程と、
一の壁面（２１）の浴槽（３０）側及び便器（４０）側に、給湯用孔（２３Ａ、２３Ｂ）と給水用孔（２４Ａ、２４Ｂ）の対からなるカラン取付孔（２５）を穿設する穿設工程と、
配管スペース（ＰＳ）に、縦パイプ（３Ｃ）と横パイプ（３Ａ、３Ｂ）を結合してなる給湯用Ｔ字状パイプ（３−１）及び給水用Ｔ字状パイプ（３−２）を設置するのにあたり、パイプ挿入孔（３３）に先に横パイプ（３Ａ）の一端（３Ａ−１）を挿入し、これに続けて横パイプ（３Ａ）の一端（３Ａ−１）から他端（３Ｂ−１）までの全範囲をパイプ挿入孔（３３）に挿入する挿入工程と、
上記挿入工程後に、縦パイプ（３Ｃ）の端（３Ｃ−１）を把持した状態で、給湯用Ｔ字状パイプ（３−１）及び給水用Ｔ字状パイプ（３−２）をそれぞれ配管スペース（ＰＳ）内でＴ字状の姿勢になるように立ち上げる立上工程と、
給湯用Ｔ字状パイプ（３−１）については、その横パイプ（３Ａ）の一端（３Ａ−１）を浴槽（３０）側の給湯用孔（２３Ａ）に合わせる一方、その横パイプ（３Ｂ）の他端（３Ｂ−１）を便器（４０）側の給湯用孔（２３Ｂ）に合わせ、さらに、給水用Ｔ字状パイプ（３−２）については、その横パイプ（３Ａ）の一端（３Ａ−１）を浴槽（３０）側の給水用孔（２４Ａ）に合わせる一方、その横パイプ（３Ｂ）の他端（３Ｂ−１）を便器（４０）側の給水用孔（２４Ｂ）に合わせる位置合わせ工程と、
上記配置工程後の状態でカラン取付孔（２５）のそれぞれにカラン（６０Ａ、６０Ｂ）を設置するカラン設置工程と、
便器（４０）側のカラン（６０Ｂ）の下方には洗面器（５０）を設置する洗面器設置工程と、
上記防水部材設置側（３０Ｃ）と便器（４０）側との境界線であって上記浴槽据置型ユニットバスの床面にサッシ（２）を設置することにより、上記防水部材設置側（３０Ｃ）がシャワールーム（ＳＲ）となり、便器（４０）側がトイレルーム（ＷＣ）となるように、既設の浴槽据置型ユニットバスを仕切る間仕切工程と、を有すること
を特徴とするユニットバス改修方法。
【請求項４】
上記サッシは、
上記浴槽一体型ユニットバスあるいは浴槽据置型ユニットバスの上記一の壁面（２１）に細長状の補強部材（２Ａ、２Ａ）を介して設置されることを特徴とする請求項１〜３いずれか１項に記載のユニットバス改修方法。
【発明の詳細な説明】
【技術分野】
【０００１】
本発明は、既設のユニットバスを、バスルームあるいはシャワー室と、トイレルームと、に間仕切るユニットバス改修方法に関する。
【背景技術】
【０００２】
近年、首都圏の空室は遂に３０万室を突破しており、このうち、ワンルームマンションが２／３を占めている。このワンルームマンションの大部分が、浴槽と便器とが同一室内に何ら間仕切りされることなく設置されているいわゆるユニットバス（例えば、特許文献１を参照）を採用している。この特許文献１に記載されているような浴槽と便器と洗面器とが一体となった３点セットタイプのユニットバスは、トイレを使用するときに床が濡れていたり、湯気や湯船のお湯がはねてトイレットペーパーが濡れてしまうことがある。また、プライベートスペースが確保されていないため、来客があった場合には、１人が湯船につかっていると他の者はトイレを使用することができない。一方、プライベートスペースを確保すべく、浴槽とトイレとの間にシャワーカーテンを設けることもあるが、入浴中にこのシャワーカーテンが肌に触れたりして不快である。
【０００３】
３点セットタイプのユニットバスは、上記のような問題があるため、近年、若者に敬遠される傾向が強い。このため、インターネットなどによる空室検索においては、このユニットバスを採用しているワンルームマンションは、「バス・トイレ別」との条件でふるいにかけられてしまい、検索結果としてあがらず、その結果、空室が埋まらないという状況に陥ってしまう。
【０００４】
一方、このような問題点を解消すべく、バスルームとトイレとを分離した新しいユニットバスも開発されている（例えば、特許文献２参照）。ここに記載されているユニットバスは、浴槽とトイレとが遮蔽体によって分離されているので、上述のような問題は生じないが、この新しいユニットバスを設置するためには、既設のユニットバスを撤去する必要があり、ワンルームマンションのオーナーにとっては、撤去料、設置料など多大な費用がかかるばかりでなく、設置工期も長くかかってしまい、その間入居できない状況を招来しオーナーにとっては大きな負担となる。
【０００５】
そこで本発明者は、上記特許文献２に記載のようなユニットバスを新設するのではなく、既設の３点セットタイプのユニットバスを改修することによりバスルームあるいはシャワー室と、トイレルームと、に仕切ることを考えた。この際に、本発明者は、バスルームでは浴槽内に給湯及び給水するのに１つのカランが必要で、トイレルームには手洗い用に洗面器を設けるため前記と物理的に独立した洗面器用のカランが必要だと考えた。しかしながら、既設のユニットバスは空間スペースを広くするために、住宅の設置スペース内に限度いっぱいに設けられているので、ユニットバスと住居の設置スペースとの間隙は少なく設定されているのが通常である。その結果、カランへ水及び湯を供給するためのパイプを配置するための裏側の配管スペースが極端に狭くなり、ユニットバス設置後の配管変更工事は困難を極める。この配管作業を可能にしない限り費用及び工期の双方の面において、既設のユニットバスを利用することによるメリットが出せないと考え、この配管作業の簡素化について試行錯誤を重ねた。
【０００６】
【特許文献１】特開２００２−２２０９３７号公報
【０００７】
【特許文献２】実願平０１−０５９８８５号（実開平０２−１５０３８６号）のマイクロフィルム
【発明の開示】
【発明が解決しようとする課題】
【０００８】
本発明者は鋭意研究の結果、配管作業を可能にする方法を考え、上記特許文献２に記載のようなユニットバスを新設するのではなく、既設のユニットバスを利用して、バスルームあるいはシャワー室と、トイレルームと、に間仕切ることを可能とする本発明を完成するに至った。
【０００９】
すなわち、本発明の目的とするところは、新型のユニットバスを導入することなく、既設のユニットバスを利用してバスルームあるいはシャワー室と、トイレルームと、に仕切られたユニットバスを低コストでしかも短期間で供給可能なユニットバスの改修方法を提供することにある。
【課題を解決するための手段】
【００１０】
上記目的を達成するため、本発明は、同一室内に設置される浴槽及び便器と、浴槽及び便器を囲む四方の壁面と、四方の壁面のうち浴槽から便器に跨る一の壁面の裏面側に設けられる配管スペースと、一の壁面を通して配管スペースに通じるパイプ挿入孔とを備え、浴槽と便器との間が仕切られていないタイプの既設の浴槽一体型ユニットバスを改修するユニットバス改修方法であって、上記ユニットバス改修方法は、上記浴槽一体型ユニットバスの一の壁面に洗面器及びカランが設置されている場合にはこれらを除去する除去工程と、一の壁面の浴槽側及び便器側に、給湯用孔と給水用孔の対からなるカラン取付孔を穿設する穿設工程と、配管スペースに、縦パイプと横パイプを結合してなる給湯用Ｔ字状パイプ及び給水用Ｔ字状パイプを設置するのにあたり、パイプ挿入孔に先に横パイプの一端を挿入し、これに続けて横パイプの一端から他端までの全範囲をパイプ挿入孔に挿入する挿入工程と、上記挿入工程後に、縦パイプの端を把持した状態で、給湯用Ｔ字状パイプ及び給水用Ｔ字状パイプをそれぞれ配管スペース内でＴ字状の姿勢になるように立ち上げる立上工程と、給湯用Ｔ字状パイプについては、その横パイプの一端を浴槽側の給湯用孔に合わせる一方、その横パイプの他端を便器側の給湯用孔に合わせ、さらに、給水用Ｔ字状パイプについては、その横パイプの一端を浴槽側の給水用孔に合わせる一方、その横パイプの他端を便器側の給水用孔に合わせる位置合わせ工程と、上記配置工程後の状態でカラン取付孔のそれぞれにカランを設置するカラン設置工程と、便器側のカランの下方には洗面器を設置する洗面器設置工程と、浴槽の縁あるいは上記浴槽一体型ユニットバスの床面であって浴槽の縁の外側にサッシを設置することにより、上記浴槽側がバスルームとなり、便器側がトイレルームとなるように、既設の浴槽一体型ユニットバスを仕切る間仕切工程と、を有することを特徴とする。
【００１１】
また本発明は、同一室内に設置される浴槽及び便器と、浴槽及び便器を囲む四方の壁面と、四方の壁面のうち浴槽から便器に跨る一の壁面の裏面側に設けられる配管スペースと、一の壁面を通して配管スペースに通じるパイプ挿入孔とを備え、浴槽と便器との間が仕切られていないタイプの既設の浴槽据置型ユニットバスを改修するユニットバス改修方法であって、上記ユニットバス改修方法は、浴槽を除去し、その除去跡に防水部材を配設する防水部材配設工程と、上記防水部材上の一方に、上記浴槽より外形の小さい小浴槽を設置し、その他方に洗い場を設ける小浴槽設置工程と、上記浴槽据置型ユニットバスの一の壁面に洗面器及びカランが設置されている場合にはこれらを除去する除去工程と、一の壁面の浴槽側及び便器側に、給湯用孔と給水用孔の対からなるカラン取付孔を穿設する穿設工程と、配管スペースに、縦パイプと横パイプを結合してなる給湯用Ｔ字状パイプ及び給水用Ｔ字状パイプを設置するのにあたり、パイプ挿入孔に先に横パイプの一端を挿入し、これに続けて横パイプの一端から他端までの全範囲をパイプ挿入孔に挿入する挿入工程と、上記挿入工程後に、縦パイプの端を把持した状態で、給湯用Ｔ字状パイプ及び給水用Ｔ字状パイプをそれぞれ配管スペース内でＴ字状の姿勢になるように立ち上げる立上工程と、給湯用Ｔ字状パイプについては、その横パイプの一端を浴槽側の給湯用孔に合わせる一方、その横パイプの他端を便器側の給湯用孔に合わせ、さらに、給水用Ｔ字状パイプについては、その横パイプの一端を浴槽側の給水用孔に合わせる一方、その横パイプの他端を便器側の給水用孔に合わせる位置合わせ工程と、上記配置工程後の状態でカラン取付孔のそれぞれにカランを設置するカラン設置工程と、便器側のカランの下方には洗面器を設置する洗面器設置工程と、上記小浴槽側と便器側との境界線であって上記浴槽据置型ユニットバスの床面にサッシを設置することにより、上記小浴槽側がバスルームとなり、便器側がトイレルームとなるように、既設の浴槽据置型ユニットバスを仕切る間仕切工程と、を有することことを特徴とする。
【００１２】
また本発明は、同一室内に設置される浴槽及び便器と、浴槽及び便器を囲む四方の壁面と、四方の壁面のうち浴槽から便器に跨る一の壁面の裏面側に設けられる配管スペースと、一の壁面を通して配管スペースに通じるパイプ挿入孔とを備え、浴槽と便器との間が仕切られていないタイプの既設の浴槽据置型ユニットバスを改修するユニットバス改修方法であって、上記ユニットバス改修方法は、浴槽を除去し、その除去跡に防水部材を配設する防水部材配設工程と、上記浴槽据置型ユニットバスの一の壁面に洗面器及びカランが設置されている場合にはこれらを除去する除去工程と、一の壁面の浴槽側及び便器側に、給湯用孔と給水用孔の対からなるカラン取付孔を穿設する穿設工程と、配管スペースに、縦パイプと横パイプを結合してなる給湯用Ｔ字状パイプ及び給水用Ｔ字状パイプを設置するのにあたり、パイプ挿入孔に先に横パイプの一端を挿入し、これに続けて横パイプの一端から他端までの全範囲をパイプ挿入孔に挿入する挿入工程と、上記挿入工程後に、縦パイプの端を把持した状態で、給湯用Ｔ字状パイプ及び給水用Ｔ字状パイプをそれぞれ配管スペース内でＴ字状の姿勢になるように立ち上げる立上工程と、給湯用Ｔ字状パイプについては、その横パイプの一端を浴槽側の給湯用孔に合わせる一方、その横パイプの他端を便器側の給湯用孔に合わせ、さらに、給水用Ｔ字状パイプについては、その横パイプの一端を浴槽側の給水用孔に合わせる一方、その横パイプの他端を便器側の給水用孔に合わせる位置合わせ工程と、上記配置工程後の状態でカラン取付孔のそれぞれにカランを設置するカラン設置工程と、便器側のカランの下方には洗面器を設置する洗面器設置工程と、上記防水部材設置側と便器側との境界線であって上記浴槽据置型ユニットバスの床面にサッシを設置することにより、上記防水部材設置側がシャワールームとなり、便器側がトイレルームとなるように、既設の浴槽据置型ユニットバスを仕切る間仕切工程と、を有することを特徴とする。
【００１３】
上記サッシを設置する際には、上記浴槽一体型ユニットバスあるいは浴槽据置型ユニットバスの壁面の所定の位置に細長状の補強部材を設置した後、上記サッシの縦枠が上記補強部材を介して上記浴槽一体型ユニットバスあるいは浴槽据置型ユニットバスの壁面に設置されるようにしてもよい。
【発明の効果】
【００１４】
上述したようなＴ字状のパイプを使用し上記方法で配管するという本発明のユニットバスの改修方法を用いることで、配管作業を可能とし、その結果、既設のユニットバスを改修するという簡易な手法で、バスルームあるいはシャワー室と、トイレルームと、に仕切られたユニットバスが提供可能となる。その結果、バスルームとトイレルームとに予め仕切られている新型のユニットバスを導入するのに比して、コストの低廉化及び工期の短期化が図れるのはもちろんのこと、既設のユニットバスを廃棄しないので、地球環境にもやさしいといった効果を奏することができる。
【発明を実施するための最良の形態】
【００１５】
以下、本発明を実施するための最良の形態について、添付した図面を参照しながら説明する。
【００１６】
図１は、本発明のユニットバス改修方法を施す既設のユニットバスの上面断面図、図２は、図１に示す既設のユニットバスに本発明のユニットバス改修方法を施した初期の状態を示す部分斜視図、図３は、本発明のユニットバス改修方法に用いるサッシの部品の斜視図、図４は、本発明のユニットバス改修方法に用いる給湯用Ｔ字状パイプあるいは給水用Ｔ字状パイプを示す図であり、（ａ）は斜視図、（ｂ）は正面図、（ｃ）は矢印Ｆ１方向から見た側面図、図５は、本発明のユニットバス改修方法における配管の方法を説明するための部分斜視図である。
【００１７】
本発明のユニットバス改修方法は、既設のユニットバスを改修することにより、簡易で、短期間に、しかも低コストで、バスルームとトイレルームとに仕切られたユニットバスを得ることを可能とする方法である。既設のユニットバスの中には、浴槽、トイレおよび洗面器が一体になったいわゆる３点セットタイプのユニットバス、及び浴槽据置型ユニットバス、すなわちバランス釜が浴槽に付属しており浴槽とバランス釜とが床に据え置かれているタイプのユニットバスのいずれにも適用可能である。
【００１８】
まず、図１〜図８を用いて、本発明のユニットバス改修方法を使用して、既設の３点セットタイプのユニットバスからバスルームとトイレルームとに仕切られたユニットバスを得る方法について説明する。
【００１９】
本発明のユニットバス改修方法を適用する前の既設のユニットバスは、図１に示すように構成されている。すなわち、既設のユニットバス１０は、筐体２０、浴槽３０、便器４０、筐体２０の一の壁面２１に設置された洗面器５０及びカラン６０、ドア７０、トイレットペーパホルダ８０及びシャワーホルダ９０からなる。図１に示すように、筐体２０は、浴槽３０及び便器４０を囲む四方の壁面２１、２２、２３、２４を有し、浴槽３０と便器４０との間にはなんら間仕切りはされていない。また、洗面器５０は、浴槽の縁３２の真上に設置されており、給湯及び給水のためのカラン６０は、浴槽３０と洗面器５０とに共用可能に１つだけ設けられている。更に、本実施形態においては、浴槽３０の側壁にシャンプーなどを収容する化粧棚３１が嵌合設置されている（図２参照）。
【００２０】
まず、図１に示す状態では、バスルームＢＲとトイレルームＷＣとを間仕切りするのに、洗面器５０とカラン６０とが邪魔になるので、これらを取り外す。この際に、カラン６０へ給水及び給湯する裏側の配管パイプ（図示しない）も取り外す。次いで、図２に示す化粧棚３１を浴槽３０の側壁から取り外す。すると、この取り外した部分が配管スペースＰＳに通ずる孔（後述するパイプ挿入孔３３）となる。なお、この化粧棚３１が浴槽３０に設置されておらず、このパイプ挿入孔３３が確保できない場合には、別途壁面２１にパイプ挿入孔２２を穿設する。この場合には、後述する方法で該パイプ挿入孔２２から給湯用Ｔ字状パイプ及び給水用Ｔ字状パイプを挿入し配管が終わった後、外観上不自然な蓋に感じさせないように、図２に示すような化粧棚３１を嵌合設置するようにするとよい。
【００２１】
次に、壁面２１上であって、かつ浴槽３０の縁３２の延長線が交差する位置に、補強部材２Ｃを接着剤などにより固定した後、所定箇所でネジ止め固定する。筐体２０は、通常薄い化粧鋼板から製造されているため強度が弱い。そこで、本実施形態においては、サッシ２を設置する前に、この補強部材２Ｃを壁面２１に取り付け設置強度を強くしている。なお、本実施形態においては、サッシ２を浴槽３０の縁３２上に設置する形態であり、この場合、最終的には、図２中、補強部材２Ｃの左側がバスルーム、右側がトイレルームとなる。
【００２２】
本実施形態においては、補強部材２Ｃを挟んでバスルーム側にもトイレルーム側にも双方にカラン６１Ａ、６１Ｂ（図６参照）を設置するので、各カラン６１Ａ、６１Ｂの取り付け位置に給湯用孔２３Ａ、２３Ｂと、給水用孔２４Ａ、２４Ｂを所定の位置に計４箇所穿設する。なお、給湯用孔２３Ａあるいは２３Ｂと、給水用孔２４Ａあるいは２４Ｂとを一対としてカラン取付孔２５となる。すなわち、給湯用孔２３Ａと給水用孔２４Ａとが一対となってカラン取付孔２５となり、給湯用孔２３Ｂと給水用孔２４Ｂとが一対となってカラン取付孔２５となる。
【００２３】
本実施形態において間仕切り材として用いるサッシ２は、図３のように構成されている。すなわち、サッシ２は、外枠２Ａと、外枠２Ａにスライド可能に支持された板材２Ｂとからなる。本実施形態においては、サッシ２は、図５に示すように浴槽３０の縁３２と、補強部材２Ｃ、２Ｃを介して筐体２０の壁面２１及びこれに対向する壁面と、図示しない天井面と、で当接支持される。天井面には上部化粧カバー２Ｄを介して当接支持される。なお、板材２Ｂの材質はガラス、樹脂材など種々のものが適用可能であり、また、透明でも半透明でもよい。補強部材２Ｃ、２Ｃは、壁面２１及びこれに対向する壁面に接着した後ネジ止め固定されており、この補強部材２Ｃ、２Ｃにサッシ２の外枠２Ａの縦材はネジ止め固定される。
【００２４】
本発明の最大の特徴は、図４に示す如く本来ならばユニットバスの裏側で施工しなければならなかった分岐工事を予め縦パイプに横パイプをＴ字状に結合した給湯用Ｔ字状パイプ３−１及び給水用Ｔ字状パイプ３−２（以下において総括的に用いるときは「Ｔ字状パイプ３」と言う）を用いて、カラン６０Ａ、６０Ｂ（図６参照）に配管することである。具体的には、図４に示すように、Ｔ字状パイプ３は、２つの横パイプ３Ａ、３Ｂと、１つの縦パイプ３Ｃとを三つ叉ジョイント３Ｄに結合してなる。横パイプ３Ａ、３Ｂの端部にはそれぞれカランとの接続のためのジョイント部３Ａ−１、３Ｂ−１が直交して設けられている。
【００２５】
このように構成されたＴ字状パイプ３を用いて配管する方法について図５を参照しながら説明する。前記したように、化粧棚３１を取り外すと、図５に示すような配管スペースＰＳに通ずる孔（パイプ挿入孔３３）が開いており、このパイプ挿入孔３３を利用してＴ字状パイプ３を配管スペースＰＳに配設する。
【００２６】
具体的には、配管工事をする者が、Ｔ字状パイプ３の縦パイプ３Ｃの端部３Ｃ−１を把持し、Ｔ字状パイプ３を図５に示すように横パイプ３Ａのジョイント部３Ａ−１側からパイプ挿入孔３３に矢印Ｆ２方向に挿入していく。横パイプ３Ｂのジョイント部３Ｂ−１まで挿入し終わったら、端部３Ｃ−１を把持したまま矢印Ｆ３の方向へＴ字状パイプ３を移動させる。Ｔ字状パイプ３を配管スペースＰＳ内で図５に示したようにＴ字状の姿勢になるまで移動させた後、ジョイント部３Ａ−１、３Ｂ−１がそれぞれ所定の位置にくるように配置する。図５においては、Ｔ字状パイプ３は、給湯用Ｔ字状パイプ３Ａであり、この場合には、ジョイント部３Ａ−１が給湯用孔２３Ａの裏側、ジョイント部３Ｂ−１が給湯用孔２３Ｂの裏側に配置されるようにする。このような作業を同様に給水用Ｔ字状パイプ３Ｂに対しても行い、それぞれのＴ字状パイプ３Ａ、３Ｂを位置合わせした後、カラン６０Ａ、６０Ｂを接続する。
【００２７】
上記のようにして、浴槽３０の縁３２上にサッシ２を設置し、上記のようにＴ字状パイプ３を用いて配管作業を行うと、その結果、図１に示す既設のユニットバス１０が図６〜図８に示すような、バスルームＢＲとトイレルームＷＣとがサッシ２により仕切られたユニットバス１Ａとなる。
【００２８】
図６は、本発明のユニットバス改修方法を使用して得られたユニットバス１Ａの上面断面図、図７は、図６に示すユニットバス１Ａをトイレ側から見た断面図、図８は、図６に示すユニットバス１Ａをドア側から見た断面図がそれぞれ示されている。
【００２９】
本実施形態においては、上述したように、既設のユニットバス１０を本発明の特徴であるＴ字状パイプ３を用いて配管し、浴槽３０の縁３２上にサッシ２を設置するようにした。これにより、図６〜図８に示す通り、バスルームＢＲとトイレルームＷＣとにカラン６０Ａ、６０Ｂがそれぞれ１つずつある状態でバスルームＢＲとトイレルームＷＣとに仕切られたユニットバス１Ａを得ることができる。本発明のユニットバス改修方法を使用すれば、初めからバスルームとトイレルームとに仕切られたユニットバスを導入する場合に比べて、安価でしかも設置工期も短くて済み、更に、既設のユニットバスを有効利用するので環境保護の観点からも好適である。
【００３０】
以下に、本発明のユニットバス改修方法を用いて既設のユニットバスをバスルームとトイレルームとに仕切った他の実施形態について図９〜図１３を参照して説明する。なお、以下の実施形態においても、上記Ｔ字状パイプ３を使用する点やその他の手法も大概同様であるので、相違する部分のみを説明し、同一の部分については説明を省略する。
【００３１】
図９には、本発明を、既設の３点式ユニットバスあるいは既設の浴槽据置型ユニットバスを使用して浴槽とトイレルームとが仕切られたユニットバスを得る他の実施形態が示されている。既設の３点式ユニットバスを利用する場合を想定すると、上記実施形態とは、サッシ２を浴槽３０の縁３２の上に設置するのではなく、筐体２の床面に設置する点において異なるだけである。
【００３２】
一方、既設の浴槽据置型ユニットバスを使用した場合には、既設のユニットバスは、取り外してしまい、取り外した後の床面に防水部材を施し、その上に新たに浴槽を配置する。その後の作業は、前述の既設の３点式ユニットバスを使用した場合と同様である。このような手法により、得られる浴槽ＢＲとトイレルームＷＣとが仕切られたユニットバス１Ｂは図９〜１１に示すようになる。
【００３３】
図９は、本発明のユニットバス改修方法を使用して得られたユニットバス１Ｂの上面断面図、図１０は、図９に示すユニットバス１Ｂをトイレ側から見た断面図、図１１は、図９に示すユニットバス１Ｂをドア側から見た断面図がそれぞれ示されている。
【００３４】
図１２及び図１３は、本発明のユニットバス改修方法を既設の浴槽据置型ユニットバスに使用して改修を行った場合の他の実施形態を示す上面断面図である。図１２及び図１３に示すユニットバス１Ｃ、１Ｄは、共に、元となるユニットバスのタイプは浴槽据置型ユニットバスであり、いずれの場合にも、既設の浴槽据置型ユニットバスをまず除去することから始める。次いで、除去した後の床面に上記と同様に防水部材を施す。
【００３５】
ここまではいずれの場合も同様である。しかし、図１２においては、この後、既設の浴槽据置型ユニットバスよりも小さめの浴槽３０Ａを設置し、この浴槽３０Ａが置かれていないスペースを洗い場３０Ｂとして利用するものであり、一方、図１３においては、既設の浴槽据置型ユニットバスを除去し防水部材を施した後の場所３０Ｃには何も設置せず、全体をシャワールームとして利用するものである。
【図面の簡単な説明】
【００３６】
【図１】本発明のユニットバス改修方法を施す既設のユニットバスの上面断面図。
【図２】図１に示す既設のユニットバスに本発明のユニットバス改修方法を施した初期の状態を示す部分斜視図。
【図３】本発明のユニットバス改修方法に用いるサッシの部品の斜視図。
【図４】本発明のユニットバス改修方法に用いる給湯用Ｔ字状パイプあるいは給水用Ｔ字状パイプを示す図であり、（ａ）は斜視図、（ｂ）は正面図、（ｃ）は側面図。
【図５】本発明のユニットバス改修方法における配管の方法を説明するための部分斜視図。
【図６】本発明のユニットバス改修方法を使用して得られたユニットバスの上面断面図。
【図７】図６に示すユニットバスをトイレ側から見た断面図。
【図８】図６に示すユニットバスをドア側から見た断面図。
【図９】本発明のユニットバス改修方法を使用して得られたユニットバスの上面断面図。
【図１０】図９に示すユニットバスをトイレ側から見た断面図。
【図１１】図９に示すユニットバスをドア側から見た断面図。
【図１２】本発明のユニットバス改修方法を使用して得られたユニットバスの上面断面図。
【図１３】本発明のユニットバス改修方法を使用して得られたユニットバスの上面断面図。
【符号の説明】
【００３７】
１０  既設のユニットバス
２０  筐体
２１  筐体の壁面
２２  パイプ挿入孔
２３Ａ、２３Ｂ  給湯用孔
２４Ａ、２４Ｂ  給水用孔
３    Ｔ字状パイプ
３Ａ−１、３Ｂ−１  ジョイント部
３Ａ、３Ｂ  横パイプ
３Ｃ  縦パイプ
３０  浴槽
３１  化粧棚
３２  縁
３３  パイプ挿入孔
４０  便器
５０  洗面器
６０  カラン
７０  ドア
８０  トイレットペーパホルダ
９０  シャワーホルダ
【要約】
【課題】低コストでかつ短期間で、既設のユニットバスを、バスルームあるいはシャワー室と、トイレルームと、に間仕切ることを可能にするユニットバス改修方法を提供する。
【解決手段】既設の３点式ユニットバス１Ａの化粧棚３１を取り外し、Ｔ字状パイプ３を横パイプ３Ａのジョイント部３Ａ−１側からパイプ挿入孔３３に挿入し、Ｔ字状パイプ３を配管スペースＰＳ内でＴ字状の姿勢に立設させる。この状態で、カラン６０Ａ、６０Ｂを接続するとともに、浴槽３０の縁３２上にサッシ２を設置する。
【選択図】図５【図１】
0004135966.tif 000002
【図２】
0004135966.tif 000003
【図３】
0004135966.tif 000004
【図４】
0004135966.tif 000005
【図５】
0004135966.tif 000006
【図６】
0004135966.tif 000007
【図７】
0004135966.tif 000008
【図８】
0004135966.tif 000009
【図９】
0004135966.tif 000010
【図１０】
0004135966.tif 000011
【図１１】
0004135966.tif 000012
【図１２】
0004135966.tif 000013
【図１３】
0004135966.tif 000014